(57)【特許請求の範囲】
【請求項１】
複数の第１の端子金具が挿入装着される複数の端子収容孔が形成されたハウジング本体を有する第１のコネクタハウジングと、前記ハウジング本体が挿入されるハウジング収容部を備えると共に、前記第１の端子金具に接続する複数の第２の端子金具が前記ハウジング本体の先端面と対向する前記ハウジング収容部の基端壁に配置されて、前記第１のコネクタハウジングに嵌合接続される第２のコネクタハウジングと、前記第１のコネクタハウジングと前記第２のコネクタハウジングとの嵌合が正規の嵌合状態に達したときにこれらのコネクタハウジング相互の嵌合状態をロックするロック機構と、を備え、
前記第１のコネクタハウジングは、前記ハウジング本体の先端面に開口部を有すると共に前記開口部からコネクタハウジング相互の嵌合方向に凹んだ形状に形成されて前記ロック機構を構成するロック片嵌合部と、該ロック片嵌合部の両側を区画する一対の隔壁に沿って前記ロック片嵌合部の両側に配置される前記端子収容孔と、前記一対の隔壁の途中に形成されて前記ロック片嵌合部の後方側の内寸を拡幅すると共に前記端子収容孔の後方側の内寸を縮幅するクランク形状の屈曲部と、を備え、
前記第２のコネクタハウジングは、前記ロック機構として前記基端壁に突設されて前記ハウジング収容部に挿入された前記ハウジング本体のロック片嵌合部に進入するロック片、を備え、
前記屈曲部によって前記ロック片嵌合部内に形成される第１の段差部が、前記ロック片と係合してコネクタハウジング相互の嵌合状態をロックするロック係止部として機能し、
前記屈曲部によって前記端子収容孔内に形成される第２の段差部が、前記端子収容孔に挿入される第１の端子金具と係合して当該第１の端子金具の抜けを防止する端子係止手段として機能する
ことを特徴とするコネクタ。
【請求項２】
前記ロック片は、前記一対の隔壁のそれぞれに沿って延出した一対の弾性片と、コネクタハウジング相互の嵌合が正規の嵌合状態に達したときに前記第１の段差部と係合するように前記弾性片の先端に突設された係止突起と、
を備えることを特徴とする請求項１に記載のコネクタ。
【発明の詳細な説明】
【技術分野】
【０００１】
本発明は、複数の第１の端子金具が挿入装着される複数の端子収容孔を有した第１のコネクタハウジングと、前記第１の端子金具に接続する複数の第２の端子金具を収容して前記第１のコネクタハウジングに嵌合接続される第２のコネクタハウジングと、コネクタハウジング相互の嵌合が正規の嵌合状態に達したときにコネクタハウジング相互の嵌合状態をロックするロック機構と、を備えるコネクタに関する。
【背景技術】
【０００２】
図６は、下記特許文献１に開示されたコネクタ１００を示している。
このコネクタ１００は、第１のコネクタハウジング１１０と、不図示の第２のコネクタハウジングと、ロック機構１３０と、を備える。
【０００３】
第１のコネクタハウジング１１０は、複数の端子収容孔１１１を有して前記第２のコネクタハウジング内に挿入されるハウジング本体１１２と、ハウジング本体１１２の一方の外側面に突設されたロック片１３１と、ハウジング本体１１２の一外側面に開口するスペーサ挿入孔１１４に嵌合装着されるスペーサ１１５と、を備えている。
【０００４】
端子収容孔１１１は、複数の第１の端子金具１４０が、図６の矢印Ｆ１方向に、挿入装着される孔である。
【０００５】
ロック片１３１は、前記ロック機構１３０を構成する部位で、第１のコネクタハウジング１１０と前記第２のコネクタハウジングとの嵌合が正規の嵌合状態に達したときに、前記第２のコネクタハウジングに装備されているロック部に係合して、コネクタハウジング相互の嵌合状態をロックする。
【０００６】
スペーサ挿入孔１１４は、第１の端子金具１４０の挿入方向と直交する方向から端子収容孔１１１と連通するように形成されている。
【０００７】
スペーサ１１５は、図６に矢印Ｆ２で示すように、スペーサ挿入孔１１４に挿入されて、端子収容孔１１１内に装着されている第１の端子金具１４０の抜け止めを行う。
【先行技術文献】
【特許文献】
【０００８】
【特許文献１】特開２００７−１１５６１４号公報
【発明の概要】
【発明が解決しようとする課題】
【０００９】
ところが、特許文献１に開示のコネクタ１００は、端子収容孔１１１に連通するスペーサ挿入孔１１４が、ハウジング本体１１２の外側面に開口しているため、スペーサ１１５の着脱時に端子収容孔１１１の密閉性が低下し、スペーサ挿入孔１１４から異物が端子収容孔１１１に侵入し、例えば第１の端子金具１４０相互間の短絡等の不都合を招くおそれがあった。
【００１０】
また、特許文献１に開示のコネクタ１００は、ロック機構１３０のロック片１３１がコネクタハウジング外面の突出構造となって、コネクタの大型化を招く原因となったり、コネクタハウジング構造の複雑化による生産性の低下を招くおそれがあった。
【００１１】
そこで、本発明の目的は、上記課題を解消することに係り、端子金具相互間の短絡等の不都合を招く外部から端子収容孔への異物の侵入を抑止することができ、また、コネクタハウジング外面の突出構造の削減によるコネクタのコンパクト化（低背化）や、コネクタハウジングの構造の単純化による生産性の向上を図ることのできるコネクタを提供することにある。
【課題を解決するための手段】
【００１２】
本発明の前述した目的は、下記の構成により達成される。
（１）  複数の第１の端子金具が挿入装着される複数の端子収容孔が形成されたハウジング本体を有する第１のコネクタハウジングと、前記ハウジング本体が挿入されるハウジング収容部を備えると共に、前記第１の端子金具に接続する複数の第２の端子金具が前記ハウジング本体の先端面と対向する前記ハウジング収容部の基端壁に配置されて、前記第１のコネクタハウジングに嵌合接続される第２のコネクタハウジングと、前記第１のコネクタハウジングと前記第２のコネクタハウジングとの嵌合が正規の嵌合状態に達したときにこれらのコネクタハウジング相互の嵌合状態をロックするロック機構と、を備え、
前記第１のコネクタハウジングは、前記ハウジング本体の先端面に開口部を有すると共に前記開口部からコネクタハウジング相互の嵌合方向に凹んだ形状に形成されて前記ロック機構を構成するロック片嵌合部と、該ロック片嵌合部の両側を区画する一対の隔壁に沿って前記ロック片嵌合部の両側に配置される前記端子収容孔と、前記一対の隔壁の途中に形成されて前記ロック片嵌合部の後方側の内寸を拡幅すると共に前記端子収容孔の後方側の内寸を縮幅するクランク形状の屈曲部と、を備え、
前記第２のコネクタハウジングは、前記ロック機構として前記基端壁に突設されて前記ハウジング収容部に挿入された前記ハウジング本体のロック片嵌合部に進入するロック片、を備え、
前記屈曲部によって前記ロック片嵌合部内に形成される第１の段差部が、前記ロック片と係合してコネクタハウジング相互の嵌合状態をロックするロック係止部として機能し、
前記屈曲部によって前記端子収容孔内に形成される第２の段差部が、前記端子収容孔に挿入される第１の端子金具と係合して当該第１の端子金具の抜けを防止する端子係止手段として機能する
ことを特徴とするコネクタ。
【００１３】
（２）  前記ロック片は、前記一対の隔壁のそれぞれに沿って延出した一対の弾性片と、コネクタハウジング相互の嵌合が正規の嵌合状態に達したときに前記第１の段差部と係合するように前記弾性片の先端に突設された係止突起と、
を備えることを特徴とする請求項１に記載のコネクタ。
【００１４】
上記（１）の構成によれば、第１のコネクタハウジングにおけるハウジング本体の端子収容孔に挿入装着された第１の端子金具は、端子収容孔とロック片嵌合部との間を区画する隔壁に形成された屈曲部の第２の段差部と係合して、抜けが防止される。そのため、第１の端子金具の抜け防止のための別部材をハウジング本体に装着する必要が無い。即ち、第１の端子金具の抜け防止のための別部材を装着するための挿入孔等をハウジング本体の外面に開口させる必要がない。従って、前記挿入孔によって端子収容孔の密閉性が低下することによる、外部から端子収容孔への異物の侵入を抑止することができる。
【００１５】
また、上記（１）の構成によれば、コネクタハウジング相互の嵌合が正規の嵌合状態に達したときにこれらのコネクタハウジング相互の嵌合状態をロックするロック機構は、第１のコネクタハウジングに装備されるロック片嵌合部と、第２のコネクタハウジングに装備されるロック片とで構成されるが、これらのロック片嵌合部やロック片は、いずれもそれぞれのコネクタハウジングの内部に装備されるため、コネクタハウジング外面の突出構造を削減することができ、コネクタハウジング外面の突出構造の削減によるコネクタのコンパクト化を図ることができる。
【００１６】
また、上記（１）の構成によれば、ロック片嵌合部の両側を区画する一対の隔壁の途中に形成された屈曲部自体が、ロック片と係合するロック係止部、及び、第１の端子金具の抜けを防止する端子係止手段として多機能に機能し、ロック係止部及び端子係止手段をそれぞれ個別に異なる位置に装備することによる構造の複雑化を回避することができる。更に、ロック係止部や端子係止手段として機能する部位は、屈曲部が提供する段差部であり、形状も単純である。従って、コネクタハウジングの構造が単純化し、成形性が向上するため、生産性の向上を図ることができる。
【００１７】
上記（２）の構成によれば、第２のコネクタハウジングに装備されるロック片は、一対の弾性片に突設した係止突起が、一対の隔壁のそれぞれの第１の段差部に係合する構造である。従って、コネクタハウジング相互の嵌合操作時に、一対の弾性片又は係止突起が、一対の隔壁の内面に弾性接触するように、一対の弾性片の配置等を設定しておくことで、コネクタハウジング相互の嵌合操作時におけるコネクタハウジング相互のガタつきを防止して、拗りの発生を防止することができる。即ち、コネクタハウジング相互の嵌合操作を円滑化することができる。
【発明の効果】
【００１８】
本発明によるコネクタによれば、第１の端子金具の抜け防止のための別部材をハウジング本体に装着する必要が無い。即ち、第１の端子金具の抜け防止のための別部材を装着するための挿入孔等をハウジング本体の外面に開口させる必要がない。従って、前記挿入孔によって端子収容孔の密閉性が低下して外部から端子収容孔への異物の侵入を抑止することができる。
【００１９】
また、本発明によるコネクタによれば、コネクタハウジング相互の嵌合状態をロックするロック機構としてのロック片嵌合部やロック片は、いずれもそれぞれのコネクタハウジングの内部に装備されるため、コネクタハウジング外面の突出構造を削減することができ、コネクタハウジング外面の突出構造の削減によるコネクタのコンパクト化を図ることができる。
【００２０】
また、本発明によるコネクタによれば、ロック片嵌合部の両側を区画する一対の隔壁の途中に形成された屈曲部自体が、ロック片と係合するロック係止部、及び、第１の端子金具の抜けを防止する端子係止手段として多機能に機能し、ロック係止部及び端子係止手段をそれぞれ個別に異なる位置に装備することによる構造の複雑化を防止することができる。更に、ロック係止部や端子係止手段として機能する部位は、屈曲部が提供する段差部であり、形状も単純である。従って、コネクタハウジングの構造が単純化し、成形性が向上するため、生産性の向上を図ることができる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】本発明に係るコネクタの一実施形態の分解斜視図である。
【図２】図１に示した第１のコネクタハウジング及び第２のコネクタハウジングの内部構造を示す水平断面図である。
【図３】図２のＡ矢視図である。
【図４】図２のＢ矢視図である。
【図５】図１に示した第１のコネクタハウジングと第２のコネクタハウジングとがロック機構によりロックされた状態の説明図である。
【図６】従来のコネクタの斜視図である。
【発明を実施するための形態】
【００２３】
以下、本発明に係るコネクタの好適な実施形態について、図面を参照して詳細に説明する。
【００２４】
図１〜図５は本発明に係るコネクタの一実施形態を示したもので、図１は本発明の一実施形態のコネクタの分解斜視図、図２は図１に示した第１のコネクタハウジング及び第２のコネクタハウジングの内部構造を示す水平断面図、図３は図２のＡ矢視図、図４は図２のＢ矢視図、図５は図１に示した第１のコネクタハウジングと第２のコネクタハウジングとがロック機構によりロックされた状態の説明図である。
【００２５】
この一実施形態のコネクタ１は、第１のコネクタハウジング１０と、第２のコネクタハウジング２０と、第１のコネクタハウジング１０と第２のコネクタハウジング２０との嵌合が正規の嵌合状態に達したときにこれらのコネクタハウジング相互の嵌合状態をロックするロック機構３０と、を備える。
【００２６】
第１のコネクタハウジング１０は、２つの第１の端子金具４０が挿入装着される２つの端子収容孔１１が形成されたハウジング本体１２を有する。ハウジング本体１２の外形は、略直方体状である。
【００２７】
本実施形態における第１のコネクタハウジング１０は、ハウジング本体１２に、ロック片嵌合部３１と、前述の２つの端子収容孔１１と、屈曲部１４と、を備える。
【００２８】
ロック片嵌合部３１は、ロック機構３０を構成する部位であり、ハウジング本体１２の先端面１２ａに開口部３１ａを有すると共に、開口部３１ａからコネクタハウジング相互の嵌合方向に凹んだ空所である。本実施形態の場合、ロック片嵌合部３１は、ハウジング本体１２の幅方向（図１の矢印Ｘ方向）の中央部に形成されている。また、本実施形態の場合、ロック片嵌合部３１は、図２〜図４に示すように、ハウジング本体１２の長手方向（図１の矢印Ｙ方向）に貫通した孔に形成されている。
【００２９】
本実施形態の場合、２つの端子収容孔１１は、ロック片嵌合部３１の両側を区画する一対の隔壁１２ｂに沿って、ロック片嵌合部３１の両側に配置されている。２つの端子収容孔１１は、ハウジング本体１２の後端側から第１の端子金具４０が挿入装着される孔である。第１の端子金具４０は、先端に相手端子が嵌合する筒状部を有した雌型端子金具である。端子収容孔１１の先端側は、相手端子導入口１１ａとして、ハウジング本体１２の先端面１２ａに開口している。
【００３０】
ロック片嵌合部３１と端子収容孔１１は、隔壁１２ｂによって、互いに独立した（連通していない）孔形状に区画されている。
【００３１】
屈曲部１４は、図２に示すように、一対の隔壁１２ｂの途中に形成されている。また、屈曲部１４は、ロック片嵌合部３１の後方側の内寸を拡幅すると共に、端子収容孔１１の後方側の内寸を縮幅するクランク形状に形成されている。
【００３２】
クランク形状の屈曲部１４は、図２に示すように、ロック片嵌合部３１内に、ロック片嵌合部３１の幅寸法を拡げる第１の段差部１４ａを形成している。更に、屈曲部１４は、端子収容孔１１内に、端子収容孔１１の幅寸法を縮める第２の段差部１４ｂを形成している。
【００３３】
屈曲部１４における第１の段差部１４ａは、図５に示すように、コネクタハウジング相互の嵌合が正規の嵌合状態に達したときに、後述のロック片３２と係合して、コネクタハウジング相互の嵌合状態をロックするロック係止部として機能する。
【００３４】
また、屈曲部１４における第２の段差部１４ｂは、図５に示すように、端子収容孔１１に挿入される第１の端子金具４０に突設された抜け止めランス部４１と係合して、当該第１の端子金具４０の抜けを防止する端子係止手段として機能する。
【００３５】
第２のコネクタハウジング２０は、第１のコネクタハウジング１０に嵌合接続されるコネクタハウジングである。この第２のコネクタハウジング２０は、図２に示すように、ハウジング本体１２が挿入されるハウジング収容部２１を備える。そして、図２に示すように、ハウジング本体１２の先端面１２ａと対向するハウジング収容部２１の基端壁２１ａには、２つの第２の端子金具５０と、ロック片３２と、が配置されている。
【００３６】
第２の端子金具５０は、第１の端子金具４０に接続する舌状の雄型端子金具である。２つの第２の端子金具５０は、第１のコネクタハウジング１０における相手端子導入口１１ａの配置に対応して配置されている。
【００３７】
ロック片３２は、ロック機構３０として、基端壁２１ａに突設されている。このロック片３２は、ハウジング収容部２１に挿入されたハウジング本体１２のロック片嵌合部３１に進入する。ロック片嵌合部３１に進入したロック片３２は、コネクタハウジング相互の嵌合が正規の嵌合状態に達したときに、屈曲部１４における第１の段差部１４ａに係合して、コネクタハウジング相互の嵌合状態をロックする。
【００３８】
本実施形態の場合、ロック片３２は、図２に示すように、一対の弾性片３２ａと、それぞれの弾性片３２ａの先端に突設された係止突起３２ｂと、を備える。
一対の弾性片３２ａは、一対の隔壁１２ｂのそれぞれに沿って延出している。
【００３９】
係止突起３２ｂは、コネクタハウジング相互の嵌合が正規の嵌合状態に達したときに屈曲部１４の第１の段差部１４ａと係合するように、弾性片３２ａの先端に突設されている。それぞれの弾性片３２ａの先端の係止突起３２ｂは、コネクタハウジング相互の嵌合が正規の嵌合状態に達したときに、図５に示すように、屈曲部１４の第１の段差部１４ａに係合して、コネクタハウジング相互の嵌合状態をロックする。
【００４０】
以上に説明した一実施形態のコネクタ１によれば、第１のコネクタハウジング１０におけるハウジング本体１２の端子収容孔１１に挿入装着された第１の端子金具４０は、端子収容孔１１とロック片嵌合部３１との間を区画する隔壁１２ｂに形成された屈曲部１４の第２の段差部１４ｂと係合して、抜けが防止される。
【００４１】
そのため、第１の端子金具４０の抜け防止のための別部材をハウジング本体１２に装着する必要が無い。即ち、第１の端子金具４０の抜け防止のための別部材を装着するための挿入孔等をハウジング本体１２の外面に開口させる必要がない。
【００４２】
従って、前記挿入孔によって端子収容孔１１の密閉性が低下して、外部から端子収容孔１１への異物の侵入を抑止することができる。
【００４３】
また、以上に説明した一実施形態のコネクタ１によれば、コネクタハウジング相互の嵌合が正規の嵌合状態に達したときにこれらのコネクタハウジング相互の嵌合状態をロックするロック機構３０は、第１のコネクタハウジング１０に装備されるロック片嵌合部３１と、第２のコネクタハウジング２０に装備されるロック片３２とで構成されるが、これらのロック片嵌合部３１やロック片３２は、いずれもそれぞれのコネクタハウジングの内部に装備されるため、コネクタハウジング外面の突出構造を削減することができ、コネクタハウジング外面の突出構造の削減によるコネクタのコンパクト化を図ることができる。
【００４４】
また、以上に説明した一実施形態のコネクタ１によれば、ロック片嵌合部３１の両側を区画する一対の隔壁１２ｂの途中に形成された屈曲部１４自体が、ロック片３２と係合するロック係止部、及び、第１の端子金具４０の抜けを防止する端子係止手段として多機能に機能し、ロック係止部及び端子係止手段をそれぞれ個別に異なる位置に装備することによる構造の複雑化を回避することができる。更に、ロック係止部や端子係止手段として機能する部位は、屈曲部１４が提供する段差部であり、形状も単純である。従って、コネクタハウジングの構造が単純化し、成形性が向上するため、生産性の向上を図ることができる。
【００４５】
また、以上に説明した一実施形態のコネクタ１によれば、第２のコネクタハウジング２０に装備されるロック片３２は、一対の弾性片３２ａに突設した係止突起３２ｂが、一対の隔壁１２ｂのそれぞれの第１の段差部１４ａに係合する構造である。従って、コネクタハウジング相互の嵌合操作時に、一対の弾性片３２ａ又は係止突起３２ｂが、一対の隔壁１２ｂの内面に弾性接触するように、一対の弾性片３２ａの配置等を設定しておくことで、コネクタハウジング相互の嵌合操作時におけるコネクタハウジング相互のガタつきを防止して、拗りの発生を防止することができる。即ち、コネクタハウジング相互の嵌合操作を円滑化することができる。
【００４６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
例えば、それぞれのコネクタハウジングに収容される端子金具の数量は、上記実施形態で示した２つに限らない。例えば、ロック片嵌合部の両側に、それぞれ上下２段に端子金具が配列される構成としても良い。
【００４８】
また、ロック片嵌合部に嵌合するロック片３２の具体的な構造も、上記の実施の形態の構造に限らない。
【００４９】
ここで、上述した本発明に係るコネクタの実施形態の特徴をそれぞれ以下［１］〜［２］に簡潔に纏めて列記する。
【００５０】
［１］  複数の第１の端子金具（４０）が挿入装着される複数の端子収容孔（１１）が形成されたハウジング本体（１２）を有する第１のコネクタハウジング（１０）と、前記ハウジング本体（１２）が挿入されるハウジング収容部（２１）を備えると共に、前記第１の端子金具（４０）に接続する複数の第２の端子金具（５０）が前記ハウジング本体（１２）の先端面（１２ａ）と対向する前記ハウジング収容部（２１）の基端壁（２１ａ）に配置されて、前記第１のコネクタハウジング（１０）に嵌合接続される第２のコネクタハウジング（２０）と、前記第１のコネクタハウジング（１０）と前記第２のコネクタハウジング（２０）との嵌合が正規の嵌合状態に達したときにこれらのコネクタハウジング相互の嵌合状態をロックするロック機構（３０）と、を備え、
前記第１のコネクタハウジング（１０）は、前記ハウジング本体（１２）の先端面（１２ａ）に開口部（３１ａ）を有すると共に前記開口部（３１ａ）からコネクタハウジング相互の嵌合方向に凹んだ形状に形成されて前記ロック機構（３０）を構成するロック片嵌合部（３１）と、該ロック片嵌合部（３１）の両側を区画する一対の隔壁（１２ｂ）に沿って前記ロック片嵌合部（３１）の両側に配置される前記端子収容孔（１１）と、前記一対の隔壁（１２ｂ）の途中に形成されて前記ロック片嵌合部（３１）の後方側の内寸を拡幅すると共に前記端子収容孔（１１）の後方側の内寸を縮幅するクランク形状の屈曲部（１４）と、を備え、
前記第２のコネクタハウジング（２０）は、前記ロック機構（３０）として前記基端壁（２１ａ）に突設されて前記ハウジング収容部（２１）に挿入された前記ハウジング本体（１２）のロック片嵌合部（３１）に進入するロック片（３２）、を備え、
前記屈曲部（１４）によって前記ロック片嵌合部（３１）内に形成される第１の段差部（１４ａ）が、前記ロック片（３２）と係合してコネクタハウジング相互の嵌合状態をロックするロック係止部として機能し、
前記屈曲部（１４）によって前記端子収容孔（１１）内に形成される第２の段差部（１４ｂ）が、前記端子収容孔（１１）に挿入される第１の端子金具（４０）と係合して当該第１の端子金具（４０）の抜けを防止する端子係止手段として機能する
ことを特徴とするコネクタ（１）。
【００５１】
［２］  前記ロック片（３２）は、前記一対の隔壁（１２ｂ）のそれぞれに沿って延出した一対の弾性片（３２ａ）と、コネクタハウジング相互の嵌合が正規の嵌合状態に達したときに前記第１の段差部（１４ａ）と係合するように前記弾性片（３２ａ）の先端に突設された係止突起（３２ｂ）と、
を備えることを特徴とする上記［１］に記載のコネクタ（１）。
【符号の説明】
【００５２】
１  コネクタ
１０  第１のコネクタハウジング
１１  端子収容孔
１２  ハウジング本体
１２ａ  先端面
１２ｂ  隔壁
１４  屈曲部
１４ａ  第１の段差部
１４ｂ  第２の段差部
２０  第２のコネクタハウジング
２１  ハウジング収容部
２１ａ  基端壁
３０  ロック機構
３１  ロック片嵌合部
３１ａ  開口部
３２  ロック片
３２ａ  弾性片
３２ｂ  係止突起
４０  第１の端子金具
５０  第２の端子金具
【図１】
0005894503.tif 000002
【図２】
0005894503.tif 000003
【図３】
0005894503.tif 000004
【図４】
0005894503.tif 000005
【図５】
0005894503.tif 000006
【図６】
0005894503.tif 000007